(57)【要約】【課題】突入電流の発生を防止し、かつ突入電流の発生の防止に用いる抵抗素子の焼損を防止する。【解決手段】制御電力の供給によってオフ状態を保持させることが可能な電源スイッチと、電源スイッチを介して入力される交流電力を整流する整流回路と、整流回路の出力を平滑する平滑回路と、平滑回路の出力を変圧して直流電力を生成するコンバーターと、整流回路に流れ込む電流を制限するための抵抗素子と、コンバーターによって得られる電力が供給される期間のみにおいて抵抗素子の両端子を短絡するスイッチ回路と、整流回路への交流電力の入力の有無を検出する検出回路と、交流電力の入力が無くなったときに電源スイッチに制御電力を供給し、電源スイッチのオフ状態からオン状態への切り替わりを抑止する電源スイッチ制御回路と、を電源装置に設ける。【選択図】図１
2014090551.tif 000002
【特許請求の範囲】
【請求項１】
交流電力を直流電力に変換して出力する電源装置であって、
制御電力の供給によってオフ状態を保持させることが可能な電源スイッチと、
前記電源スイッチを介して入力される前記交流電力を整流する整流回路と、
前記整流回路の出力を平滑する平滑回路と、
前記平滑回路の出力を変圧して前記直流電力を生成するコンバーターと、
前記整流回路に流れ込む電流を制限するための抵抗素子と、
前記コンバーターによって得られる電力が供給される期間のみにおいて前記抵抗素子の両端子を短絡するスイッチ回路と、
前記整流回路への前記交流電力の入力の有無を検出する検出回路と、
前記交流電力の入力が無くなったときに前記電源スイッチに前記制御電力を供給し、前記電源スイッチのオフ状態からオン状態への切り替わりを抑止する電源スイッチ制御回路と、を備える
ことを特徴とする電源装置。
【請求項２】
前記電源スイッチ制御回路は、前記コンバーターから供給される電力によって動作し、前記交流電力の入力が無い状態において、当該電源スイッチ制御回路への電力供給が途絶えるまで前記電源スイッチに前記制御電力を供給し続ける
請求項１記載の電源装置。
【請求項３】
前記平滑回路の出力電圧の推移を示す電圧検出信号を出力する電圧監視部をさらに備え、
前記電源スイッチ制御回路は、前記交流電力の入力が無くかつ前記出力電圧が閾値以下であるときのみ、前記電源スイッチに前記制御電力を供給する
請求項１記載の電源装置。
【請求項４】
前記電源スイッチ制御回路は、当該電源装置に接続されている負荷が消費電力の異なる複数の負荷のいずれであるかを示す情報を取得し、前記交流電力の入力が途絶えた時点から前記情報が示す負荷に応じた待ち時間が経過した時点で前記電源スイッチに前記制御電力を供給する
請求項１記載の電源装置。
【請求項５】
前記電源スイッチ制御回路は、前記電源スイッチに前記制御電力を供給した後、前記情報が示す前記負荷に応じたオフ強制時間が経過するまで、前記制御電力を前記電源スイッチに供給し続ける
請求項４記載の電源装置。
【請求項６】
前記電源スイッチは、前記制御電力によって励磁されたときにスイッチ接点を開放するコイルを有する
請求項１ないし５のいずれかに記載の電源装置。
【請求項７】
前記制御電力を供給するための電源と、前記スイッチ回路へ電力を供給するための電源とが共通である
請求項６記載の電源装置。
【発明の詳細な説明】
【技術分野】
【０００１】
本発明は、交流電力を直流電力に変換して出力する電源装置に関する。
【背景技術】
【０００２】
電源スイッチを介して供給される交流電力を整流して平滑したのちＤＣ/ＤＣコンバーターによって変圧する構成の電源装置がある。平滑用のコンデンサーを有するこの種の電源装置において、突入電流の発生を防止する手段として、抵抗素子とリレーとを組み合せた回路が採用されている。電源スイッチのオン時には抵抗素子を介してコンデンサーが緩やかに充電される。コンデンサーの端子間電圧が上昇してＤＣ/ＤＣコンバーターが動作を始めると、ＤＣ/ＤＣコンバーターから電力の供給を受けてリレーが抵抗素子の両端子を短絡する。これ以後の通常動作状態では、抵抗素子を介さずにコンデンサーへ電流が流れるので、抵抗素子による電力損失は生じない。
【０００３】
しかし、このような回路によって突入電流の発生を防止する電源装置では、電源スイッチのオフの後も、ＤＣ/ＤＣコンバーターの出力電圧がリレーの開放電圧に降下するまで、抵抗素子の両端子間の短絡が続く。このため、電源スイッチをオフにして直ぐにオンにするスイッチ操作が行なわれたときに突入電流が流れてしまうことが起こり得る。交流電源の短時間の停電が生じたときに突入電流が流れるおそれもある。突入電流は、電源スイッチの接点の溶着や回路素子の破損といった損傷を生じさせる。
【０００４】
電源遮断直後の再投入時の突入電流を防止する技術が、特許文献１によって開示されている。同文献に記載された電源装置は、突入電流の発生を防止するための抵抗素子とその両端子を短絡するスイッチング素子とを備えており、交流電圧が閾値まで低下したときに抵抗素子の両端子間の短絡を強制的に解除する。これによれば、電源オフになると直ちに通電路上に抵抗素子が介在する回路構成となるので、電源オフの直後に電源オンになっても突入電流は流れない。
【先行技術文献】
【特許文献】
【０００５】
【特許文献１】特開２０１０−０９８８７５号公報
【発明の概要】
【発明が解決しようとする課題】
【０００６】
上述の特許文献１の技術によれば、電源オフとその後の電源オンとが短時間内に行われても突入電流の発生を防止することができる。しかし、電源オフから所定時間が経過するまでの期間においてＤＣ/ＤＣコンバーターおよび直流負荷が動作を続けているので、この期間中に電源オンになると、突入電流防止用の抵抗素子を介して交流電源から直流負荷へ電力が供給される。このとき、抵抗素子が焼損するおそれがある。
【０００７】
本発明は、このような事情に鑑み、突入電流の発生を防止し、かつ突入電流の発生の防止に用いる抵抗素子の焼損を防止することを目的としている。
【課題を解決するための手段】
【０００８】
上記目的を達成する電源装置は、交流電力を直流電力に変換して出力する電源装置であって、制御電力の供給によってオフ状態を保持させることが可能な電源スイッチと、前記電源スイッチを介して入力される前記交流電力を整流する整流回路と、前記整流回路の出力を平滑する平滑回路と、前記平滑回路の出力を変圧して前記直流電力を生成するコンバーターと、前記整流回路に流れ込む電流を制限するための抵抗素子と、前記コンバーターによって得られる電力が供給される期間のみにおいて前記抵抗素子の両端子を短絡するスイッチ回路と、前記整流回路への前記交流電力の入力の有無を検出する検出回路と、前記交流電力の入力が無くなったときに前記電源スイッチに前記制御電力を供給し、前記電源スイッチのオフ状態からオン状態への切り替わりを抑止する電源スイッチ制御回路と、を備える。
【発明の効果】
【０００９】
本発明によれば、突入電流の発生を防止し、かつ突入電流の発生の防止に用いる抵抗素子の焼損を防止することができる。
【図面の簡単な説明】
【００１０】
【図１】本発明の実施形態に係る電源装置の回路構成の第１例を示す図である。
【図２】第１例の電源装置における電源スイッチ制御動作のタイミングチャートである。
【図３】電源装置の回路構成の第２例を示す図である。
【図４】第２例の電源装置における電源スイッチ制御動作のタイミングチャートである。
【図５】電源装置の回路構成の第３例を示す図である。
【図６】第３例の電源装置における電源スイッチ制御動作のタイミングチャートである。
【図７】第３例の電源装置の動作に関わる時間設定の一例を示す図である。
【図８】電源装置の回路構成の第４例を示す図である。
【図９】第４例の電源装置における電源スイッチ制御動作のタイミングチャートである。
【発明を実施するための形態】
【００１１】
以下に挙げる電源装置は、スイッチング式の直流電源装置であり、商用交流電源を利用する各種の機器に組み込まれる。電源装置は、機器の制御基板やその他の負荷に所定電圧の直流電力を供給する。
〔回路構成の第１例〕
図１に例示される電源装置１は、整流回路１４、平滑回路１６およびＤＣ／ＤＣコンバーター１８によって交流電力を直流電力に変換して負荷６へ出力する。整流回路１４としてのダイオードブリッジが交流電源５から入力される交流電力を全波整流し、コンデンサーＣ６によって構成される平滑回路１６が全波整流された電力を一次平滑する。交流入力のピーク電圧の直流電圧が生成される。ＤＣ／ＤＣコンバーター１８は変圧用のトランスＴ８を有し、トランスＴ８の一次巻線Ｌ１に流れる電流をスイッチＳＷ７によって断続させ、二次巻線Ｌ２によって得られる電力をダイオードＤ２１とコンデンサーＣ２２とによって二次平滑して出力する。スイッチＳＷ７を制御する出力制御回路８５は、コンデンサーＣ２２の端子間電圧を検出する出力監視部８６からのフィードバック信号Ｓ８６に基づいて、出力電圧を所定値に保つようにＰＷＭ制御信号Ｓ８５をスイッチＳＷ７に与える。
【００１２】
このような電源装置１において、交流電源５から整流回路１４へ、電源スイッチ１０と突入電流防止用の抵抗素子１２とを順に介して交流電力が入力される。すなわち、交流電源５が接続されるＬ端子およびＮ端子がダイオードブリッジの入力側のａ端子およびｂ端子に並列接続され、Ｌ端子とａ端子との間に電源スイッチ１０と抵抗素子１２との直列回路が挿入されている。
【００１３】
電源スイッチ１０は、手動のオンオフ操作が可能な機械式スイッチである。したがって、電源装置１が組み付けられた機器のユーザーは、電源スイッチ１０の手動操作によって、電源装置１に負荷６への電力を供給させたり供給を停止させたりすることができる。本実施形態では、後述する特徴的な動作である“オフ強制”を行なうため、この電源スイッチ１０としていわゆるリセット機能付きスイッチが採用されている。
【００１４】
リセット機能とは、手動操作によって閉じたスイッチ接点を外部信号によって開放する機能である。これは、例えば機器の自動シャットダウンに利用されている。いったん開放されたスイッチ接点は、外部信号がノンアクティブになった後も、閉じる操作（オン操作）が行なわれなければ、開放されたままとなる。
【００１５】
オフ強制は、電源スイッチ１０に強制的にオフ状態を保持させる動作である。言い換えれば、電源スイッチ１０がオフ状態（開）からオン状態(閉）へ切り替わるのを阻止するのがオフ強制である。オフ強制を行なうことによって、突入電流防止用の抵抗素子１２が焼損してしまうような通電状態の発生を防ぐことができる。
【００１６】
オフ強制を実現するための回路構成の説明に先立って、突入電流を防止するための回路構成を説明する。
【００１７】
抵抗素子１２とリレー１３とによって突入電流防止回路１１が構成される。リレー１３は、抵抗素子１２の両端子を結ぶ迂回路を開閉するスイッチ回路として機能する。リレーコイルＬ１３に開放電圧を超える電圧が印加されている間、抵抗素子１２の両端子は短絡し、交流電力は迂回路を介して整流回路１４に入力する。リレーコイルＬ１３の印加電圧が開放電圧以下のとき、迂回路の接点が開放され、交流電力は抵抗素子１２を通って整流回路１４に入力する。
【００１８】
リレー１３を作動させる電力は、ＤＣ／ＤＣコンバーター１８のトランスＴ８に設けられた補助巻線Ｌ３によって供給される。補助巻線Ｌ３は整流ダイオードＤ３１を介してリレーコイルＬ１３に並列に接続されている。また、リレーコイルＬ１３には平滑用のコンデンサーＤ３２が並列に接続されている。コンデンサーＤ３２の＋端子は整流ダイオードＤ３１のカソードに接続されている。
【００１９】
リレー１３を作動させるため、ＤＣ／ＤＣコンバーター１８の出力制御回路８５に起動用の電力が供給されるよう、交流電源５のＮ端子が整流ダイオードＤ１６と抵抗Ｒ１７とを介して出力制御回路８５に接続されている。そして、出力制御回路８５に補助巻線Ｌ３から動作電力が供給されるよう、補助巻線Ｌ３を整流ダイオードＤ４１と平滑用のコンデンサーＣ４２との直列回路に並列接続し、整流ダイオードＤ４１のカソードとコンデンサーＣ４２の＋端子と連結点が出力制御回路８５に接続されている。
【００２０】
さて、オフ強制のための構成要素として、電源装置１は、整流回路１４への交流電力の入力の有無を検出する交流入力検出回路２０、および電源スイッチ１０にリセット機能に関わる制御信号を与える電源スイッチ制御回路２２を有している。
【００２１】
交流入力検出回路２０は、整流ダイオードＤ１１，Ｄ１２、分圧用の抵抗Ｒ１３，Ｒ１４、およびコンデンサーＣ１５から構成される。整流ダイオードＤ１１のアノードはＬ端子に接続され、整流ダイオードＤ１２のアノードはＮ端子に接続され、整流ダイオードＤ１１および整流ダイオードＤ１２のカソードは抵抗Ｒ１３，Ｒ１４の直列回路の抵抗Ｒ１３側の一端に接続される。抵抗Ｒ１３，Ｒ１４により分圧された電圧をピークホールドするよう、コンデンサーＣ１５は抵抗Ｒ１４に並列に接続される。コンデンサーＣ１５の両端電圧が、交流入力の有無を示す検出信号として電源スイッチ制御回路２２に入力される。
【００２２】
電源スイッチ制御回路２２は、電源スイッチ１０に備わるリセットコイルＬ１０の一端に接続されており、交流入力検出回路２０からの検出信号に応じて、リセットコイルＬ１０における励磁電流２９の通電をオンオフする。交流電力の入力が有るとき、電源スイッチ制御回路２２は励磁電流２９の通電をオフにする。そして、交流電力の入力が無くなったときに、電源スイッチ制御回路２２は励磁電流２９の通電をオンにする。励磁電流２９を流すため、リセットコイルＬ１０の他端はＤＣ／ＤＣコンバーター１８の＋側出力端子に接続されている。励磁電流の通電のオンはリセットコイルＬ１０に対するリセット信号の印加に相当する。
【００２３】
電源スイッチ制御回路２２を動作させる電力はＤＣ／ＤＣコンバーター１８の補助巻線Ｌ３から供給される。補助巻線Ｌ３からの電流が流れる上述の整流ダイオードＤ４１とコンデンサーＣ４２との直列回路と並列に、整流ダイオードＤ５１とコンデンサーＣ５２との直列回路が接続されている。整流ダイオードＤ５１を通って動作電流が電源スイッチ制御回路２２に流れる。
【００２４】
次に電源装置１の動作についてさらに詳しく説明する。
【００２５】
電源スイッチ１０がオン状態にされて交流電力が供給されると、抵抗素子１２によって突入電流が防止された状態でコンデンサーＣ６へ充電電流が流れ込むとともに、整流ダイオード１６と抵抗Ｒ１７とを介して出力制御回路８５へ起動電力が供給される。起動電力が供給された出力制御回路８５がトランスＴ８のスイッチング制御を開始し、二次巻線Ｌ２および補助巻線Ｌ３にコンデンサーＣ６の両端電圧を変圧した電圧が生じる。二次巻線Ｌ２に生じた電圧は整流ダイオードＤ２１により整流され、コンデンサーＣ２２により平滑されて負荷６に供給する直流電力となる。
【００２６】
補助巻線Ｌ３に生じた電力によってコンデンサーＤ３２が充電され、リレー１３におけるリレーコイルＬ１３の両端電圧が感動電圧以上になると、リレー１３によって抵抗素子１２の両端子が短絡される。その後、交流電力が入力されている間、抵抗素子１２を介さずに整流回路１４の後段のコンデンサーＣ６へ電流が流れる。
【００２７】
電源スイッチ１０は、手動のオフ操作が行なわれたとき、または図示しない自動シャットダウン制御部からの制御パルス９０によってリセットコイルＬ１０が励磁されたときにオフ状態になる。電源スイッチ１０がオフ状態になれば、交流電力の入力が止まる。また、電源スイッチ１０がオン状態であっても、交流電源５が停電したときも交流電力の入力が止まる。図２では、時刻ｔ１で電源スイッチ１０がオン状態からオフ状態に切り替わり、交流入力が無くなっている。
【００２８】
交流入力が無くなると、交流入力検出回路２０のコンデンサーＣ１５の両端電圧が０ボルトになり、それが交流入力の無いことを示す検出信号として電源スイッチ制御回路２２に入力される。これを受けて、電源スイッチ制御回路２２は励磁電流２９が流れるように内部状態を切り替える。例えば導通制御用のトランジスタをオンさせる。励磁電流２９が流れてリセットコイルＬ１０が励磁され、電源スイッチ１０をオフ状態に保つ磁力が発生する。つまり、オフ状態からオン状態へ切り替えようとする手動操作を抑止するオフ強制が始まる。オフ強制は励磁電流２９が流れる期間にわたって続く。なお、交流電源５の停電が原因で交流入力が無くなったときであれば、リセットコイルＬ１０の励磁によって電源スイッチ１０はオン状態からオフ状態に切り替わった後、オフ状態に保たれる。
【００２９】
一方、交流入力が無くなったことによって一次平滑用のコンデンサーＣ６の放電が始まる。コンデンサーＣ６の両端電圧がＤＣ／ＤＣコンバーター１８６１の停止電圧まで降下してトランスＴ８のスイッチング制御が停止すると、補助巻線Ｌ３と並列の平滑用のコンデンサーＣ３２が放電する。図２のように、リレーコイルＬ１３の両端電圧が開放電圧Ｖｏｆｆまで降下した時点ｔ３でリレー１３がオフ状態となる。また、トランスＴ８のスイッチング制御の停止によって、電源スイッチ制御回路２２の動作に関わるコンデンサーＣ５２が放電する。電源スイッチ制御回路２２は、時点ｔ３より以後に動作を停止する。さらに、二次平滑用のコンデンサーＣ２２も放電し、時点ｔ３より以後の時点ｔ４でリセットコイル２０１への通電が停止する。これによりオフ強制が終了する。オフ強制の終了により、電源スイッチ１０はオン状態への切り替えが可能な状態になる。
【００３０】
オフ強制が終了した後に電源スイッチ１０がオン状態にされて交流入力が再開すると、上述と同様に突入電流を防止する状態で直流電力の出力を開始し、その後に抵抗素子１２を短絡して抵抗素子１２による損失を無くした状態で負荷６へ直流電力を供給する。
【００３１】
以上の第１例によれば、交流入力が無くなった後でＤＣ／ＤＣコンバーター１８が稼動している期間内はオフ強制によって電源スイッチ１０のオン操作が抑止される。したがって、リレー１３がオン状態で抵抗素子１２が短絡されている段階での交流入力の再開を防止し、突入電流の発生による電源スイッチ１０の接点溶着や整流ダイオードの破損などを防止することができる。加えて、抵抗素子１２の短絡が解除された後も、ＤＣ／ＤＣコンバーター６１の動作が停止する以前に交流入力が再開されないので、突入電流防止用の抵抗素子１２を介して負荷６へ電力が供給されることがなく、抵抗素子１２の焼損が起こらない。
〔回路構成の第２例〕
図３に示される第２例の電源装置１ｂの構成は、電圧監視部２４を有することを除いて、図１の第１例の構成と基本的に同様である。電圧監視部２４は、平滑回路１４の出力電圧、すなわちコンデンサーＣ６の両端電圧の推移を示す電圧検出信号Ｓ２４を電源スイッチ制御回路２２ｂに出力する。
【００３２】
図４のように、第２例では、交流入力が無くなった時点ｔ１ではなく、時点ｔ１より以後の時点ｔ２で電源スイッチ制御回路２２ｂが励磁電流２９を流すオフ強制を開始する。時点ｔ２は、コンデンサーＣ６の両端電圧が予め設定された境界電圧Ｔｔｈまで降下した時点である。電源スイッチ１０のリセットコイルＬ１０を励磁するオフ強制は、上述の第１例と同様に時点ｔ４まで続く。
【００３３】
境界電圧Ｔｔｈは、リレー１３がオン状態であって抵抗素子１２の両端が短絡されている状態において、電源スイッチ１０やダイオードブリッジを含む回路部品の電流耐力以上の突入電流が流れる可能性のあるコンデンサーＣ６の両端電圧の最大値である。境界電圧Ｔｔｈは、交流電源５の電流容量、コンデンサーＣ６の静電容量、および交流電源５からコンデンサーＣ６に至る電流路のインピーダンスにより決まる。
【００３４】
以上の第２例によれば、交流入力が無くなった後、コンデンサーＣ６の両端電庄が境界電圧Ｖｔｈ以下になるまでの期間はオフ強制が行なわれない。したがって、瞬間的な停電のように交流入力が無くなって直ぐに再開される場合に、電源装置１ｂを停止させることなく稼動させ続けることが可能である。コンデンサーＣ６の両端電圧が境界電圧Ｖｔｈ以下になるまでの期間に、回路部品の損傷を招く大電流の流れる可能性は無いので、時点ｔ２からオフ強制を始めても回路部品が損傷を受けることはない。
〔回路構成の第３例〕
図５に示される第３例の電源装置１ｃの構成は、電源スイッチ制御回路２２ｃに負荷６ｃから動作モード信号Ｓ６が入力されることを除いて、図１の第１例の構成と基本的に同様である。動作モード信号Ｓ６は、負荷６ｃの動作モードが、通常モード、待機モード、および省電力（省エネ）モードの三つのモードのいずれであるかを示す情報である。例えば、負荷６ｃが画像形成装置の制御基板であるとき、通常モードは印刷動作の制御を含むジョブの実行に必要な処理を行なうモードである。待機モードはジョブの投入を待ち受けるモードであり、省電力モードはプロセッサやその他の制御用の回路デバイスへの電力供給を休止するモードである。
【００３５】
図７のように負荷６ｃの消費電力は、三つのモードの間で異なる。例示では、通常モードでは３００Ｗであり、待機モードでは５０Ｗであり、省電力モードでは１Ｗである。消費電力が異なることにより、交流入力が無くなったときの一次平滑用のコンデンサーＣ６の放電時間が異なる。したがって、図６に示されるように、交流入力が無くなった時点ｔ１からコンデンサーＣ６の両端電圧が境界電圧Ｖｔｈまで降下するまでの時間、およびリレーＬ１３の両端電圧が開放電圧Ｖｏｆｆまで降下する時間が負荷６ｃの動作モードに依存する。
【００３６】
図５の電源装置１ｃにおける電源スイッチ制御回路２２は、オフ制御の開始および終了の時期を予め負荷６ｃの動作モード別に定めた設定情報２２０を記憶するメモリを有している。そして、電源スイッチ制御回路２２は、交流入力が無くなったとき、動作モード信号Ｓ６が示すその時点の負荷６ｃの動作モードに応じたタイミングでオフ強制を行なう。
【００３７】
図６のように、負荷６ｃが通常モードである場合、比較的に消費電力が大きいので、コンデンサーＣ６の両端電圧は急速に降下する。この場合、時点ｔ１から設定情報２２０に示される待ち時間Ｔｗ１が経過した時点、すなわちコンデンサーＣ６の両端電圧が境界電圧Ｖｏｆｆになったと推定される時点でオフ強制を始める。そして、さらにオフ強制時間Ｔｘ１が経過した時点、すなわちリレーＬ１３の両端電圧が開放電圧Ｖｏｆｆになったと推定される時点で、オフ強制を終了する。
【００３８】
負荷６ｃが待機モードである場合、通常モードと比べて、負荷６ｃの消費電力が小さいので、コンデンサーＣ６の両端電圧の降下は緩やかである。この場合、時点ｔ１から待ち時間Ｔｗ２が経過した時点でオフ強制を始め、さらにオフ強制時間Ｔｘ２が経過した時点でオフ強制を終了する。負荷６ｃが省電力モードである場合、コンデンサーＣ６の両端電圧の降下は待機モードの場合よりも緩やかである。この場合、時点ｔ１から待ち時間Ｔｗ３が経過した時点でオフ強制を始め、さらにオフ強制時間Ｔｘ３が経過した時点でオフ強制を終了する。
【００３９】
以上の第３例によれば、交流入力が無くなった後、リレー１３がオンで抵抗素子１２が短絡されており、かつ一次平滑用コンデンサーＣ６の両端電圧が境界電圧Ｖｔｈ以下である期間のみ、オフ強制が行われる。言い換えれば、突入電流の流れる可能性がありかつ交流入力の再開で突入電流防止用の抵抗素子１２の焼損が発生する可能性のある期間以外は、オフ強制が行なわれない。つまり、オフ強制を行なう期間は必要最低限に限定される。
【００４０】
ＥｒＰ指令のような厳しい環境規格基準に適合する省電力対応のために、通常モードと省電力モードとの消費電力の差が大きくなった負荷が接続された場合であっても、必要なオフ強制を実施することができる。通常モード時の瞬断耐力を満足するように設定された平滑回路の容量に対し、省電力モード時の負荷は軽く、交流入力が遮断されてから電源装置が停止に至るまでに相応の時間を要する。電源装置が停止する以前に交流入力が再開されないので、抵抗素子の焼損は生じない。
〔回路構成の第４例〕
図８に示される第４例の電源装置１ｄの構成は、電源スイッチ１０のリセットコイルＬ１０の電源がリレー１３のリレーコイルＬ１３の電源と共通であることを除いて、図１の第１例の構成と基本的に同様である。
【００４１】
図８において、リセットコイルＬ１０の一端は、リレーコイルＬ１３と並列の平滑用のコンデンサーＣ３２の＋端子に接続されている。したがって、交流入力が無くなったとき、リレーコイルＬ１３の両端電圧およびリセットコイルＬ１０の両端電圧は同時に同様に降下する。リレーコイルＬ１３の両端電圧が開放電圧Ｖｏｆｆになると、リセットコイルＬ１０の両端電圧はリセット解除電圧になって電源スイッチ１０のオン操作を抑止する励磁が止まる。すなわち、図９のように、時点ｔ３でオフ強制が自然消滅の形で終了し、電源スイッチ１０はオン操作が可能な状態になる。
【００４２】
以上の第４例によれば、交流入力が無くなった後、リレー１３がオフ状態になって抵抗素子１２によって突入電流の防止が行なわれる状態になった後に不要にオフ強制を行なうことがなくなる。
【００４３】
上述の第１例ないし第４例において、手動の電源スイッチ１０に代えて、手動の電源スイッチと制御信号によって開閉可能なスイッチとの直列回路を設け、電源スイッチをオン状態にしても交流電力が突入電流防止回路１１およびその後段に入力しないようにすることができる。
【００４４】
回路構成は例示に限定されず、本発明の趣旨に沿う範囲内で適宜変更してもよい。例えば、整流回路１４と一次平滑用のコンデンサーＣ６との間に突入電流防止用の抵抗素子１２を配置することができる。
【符号の説明】
【００４５】
１，１ｂ，１ｃ，１ｄ    電源装置
１０    電源スイッチ
１４    整流回路
１６    平滑回路
１８    ＤＣ／ＤＣコンバーター
１２    抵抗素子
１３    リレー（スイッチ回路）
２０    交流入力検出回路
２９    励磁電流（制御電力）
２２    電源スイッチ制御回路
Ｓ２４    電圧検出信号
２４    電圧監視部
Ｖｔｈ    境界電圧（閾値）
Ｓ６    動作モード信号（情報）
Ｔｗ１，Ｔｗ２，Ｔｗ３    待ち時間
Ｔｘ１，Ｔｘ２，Ｔｘ３    オフ強制時間
Ｌ１０    リセットコイル（コイル）
【図１】
2014090551.tif 000003
【図２】
2014090551.tif 000004
【図３】
2014090551.tif 000005
【図４】
2014090551.tif 000006
【図５】
2014090551.tif 000007
【図６】
2014090551.tif 000008
【図７】
2014090551.tif 000009
【図８】
2014090551.tif 000010
【図９】
2014090551.tif 000011